(57)【特許請求の範囲】
【請求項１】
モータにより駆動されて被加工材を切断する切断刃と、
前記モータを収容するハウジングと、該ハウジングに固定され前記切断刃の外周の一部を覆うソーカバーと、を備えた本体と、
該本体に接続されると共に、前記被加工材に当接し前記加工部材との当接面から前記切断刃を突出させる開口部が形成されたベースと、
前記切断刃の前記当接面からの突出量を調整する突出量調整機構と、を備え、
該突出量調整機構は、前記ベースまたは前記ハウジングのいずれか一方から延出されるリンク部と、前記ベースまたは前記ハウジングのいずれか他方に回動可能に設けられ、回動位置に応じて前記リンク部と共に前記切断刃の前記当接面に対する移動を規制する固定部材と、を有する携帯用切断機において、
所定の回動位置における前記リンク部に対する前記固定部材の位置を調整することで、前記固定部材を前記リンク部側に移動させて前記リンク部と前記固定部材との固定力を調整する調整部材を備えたことを特徴とする携帯用切断機。
【請求項２】
前記調整部材は操作部を有し、該操作部の操作に連動して前記固定部材が回動するように構成され、
前記調整部材は、前記固定部材の位置を調整することで、前記固定部材と前記操作部の相対位置を変化させることを特徴とする請求項１記載の携帯用切断機。
【請求項３】
前記リンク部に形成され延出方向に沿って延びる長穴と、該長穴内に位置し前記本体に設けられたピン部と、を備え、
前記調整部材により前記固定部材を前記ピン部側に移動させることで前記による前記リンク部の側に移動させることで該ピン部と前記固定部材による挟持力を調整することを特徴とする請求項２記載の携帯用切断機。
【請求項４】
前記突出量調整機構は、前記操作部と前記固定部材とを連結する案内部材を備え、
前記固定部材は、前記案内部材が挿入されると共に前記案内部材の外径より大きい内径を有する穴部が形成され、
前記固定部材は、前記調整部材によって前記穴部の範囲内で移動可能であることを特徴とする請求項２または３に記載の携帯用切断機。
【請求項５】
前記案内部材は前記穴部内に配置され案内部材側平面部を備える軸部を有し、前記穴部は前記案内部材側平面部と係合する固定部材側平面部を有し、
各平面部の平面に沿った寸法は、前記案内部材側平面部より前記固定部材側平面部の方が大きく形成されると共に、前記平面と直交する方向の寸法は略等しく形成されていることを特徴とする請求項４記載の携帯用切断機。
【請求項６】
前記固定部材は、前記案内部材と連結された固定部と、該固定部から延びて前記リンク部と当接可能な弾性部とを有することを特徴とする請求項４または５に記載の携帯用切断機。
【請求項７】
前記調整部材は、ネジ部材から構成されると共に前記本体にネジ嵌合していることを特徴とする請求項１乃至請求項６のいずれかに記載の携帯用切断機。
【請求項８】
前記調整部材の一端は前記固定部材に当接し、他端は外部より操作可能に配置されていることを特徴とする請求項７記載の携帯用切断機。
【請求項９】
前記調整部材の他端は、前記開口部の延長上に位置することを特徴とする請求項８記載の携帯用切断機。
【請求項１０】
前記リンク部及び前記固定部材は前記切断刃の側面側に位置すると共に、前記調整部材は前記固定部材に対して前記リンク部と反対側に位置し、
前記調整部材は、前記固定部材を前記切断刃の側面と平行に移動させることを特徴とする請求項１乃至請求項９のいずれかに記載の携帯用切断機。
【請求項１１】
モータにより駆動されて被加工材を切断する切断刃と、
前記モータを保持するハウジングと、該ハウジングに接続され前記切断刃の外周の略半分を覆うソーカバーとを備えた本体と、
該本体に接続され、前記被加工材に当接し前記被加工材と当接する面から前記切断刃を突出させる開口部が形成されたベースと、
前記切断刃の前記開口部からの突出量を調整可能な突出量調整機構と、を備え、
該突出量調整機構は、
前記ベースまたは前記ハウジングのいずれか一方から延出されるリンク部と、
前記切断刃の側面側位置に配置され前記ベースまたは前記ハウジングのいずれか他方に設けられ、前記切断刃の回転軸と直交する方向において一方向に移動して該リンク部に対して固定された固定状態と、他方向に移動して前記リンク部に対して移動可能な移動状態にする固定部材と、
該固定部材を前記ベースまたは前記ハウジングに移動可能に取り付け、且つ、前記固定部材の動作を案内する案内部材と、
該案内部材または前記固定部材に設けられ前記固定部材の動作を操作する操作部と、を有する携帯用切断機において、
前記案内部材を前記切断刃の回転軸と平行な軸部材とすると共に前記固定部材に前記案内部材が貫通する穴を設け、前記案内部材と前記固定部材の嵌合部に前記案内部材の回動を前記固定部材に伝達するための面部を互いに備えると共に、前記固定部材が前記案内部材に対し移動可能に構成し、
前記固定状態において、前記固定部材に対して前記リンク部の反対側の前記本体に配置され、前記案内部材に対して移動可能な前記固定部材の位置を調整する調整部材を設けたことを特徴とする携帯用切断機。
【発明の詳細な説明】
【技術分野】
【０００１】
本発明は、携帯用切断機に関し、特に切断刃の切り込み深さを調節する機構を備えた携帯用切断機に関する。
【背景技術】
【０００２】
従来の携帯用切断機について、図１４乃至図１６を用いて説明する。
【０００３】
携帯用切断機は、特許文献１に示されるように、丸鋸刃１５のベース１７底面からの突出量を調整できるように切り込み深さ調整機構を備えている。
【０００４】
切り込み深さ調整機構は、ベース１７に回動可能に固定されたリンク５と、切断機本体に設けられリンク５の長穴５ａ内に位置するピン部４ａと、ピン部４ａと共にリンク５を挟持するカム状の固定部材３を備えており、操作部８の操作に連動して固定部材３が回動することで、ピン部４ａと固定部材３によりリンク５を挟み込み、リンク５に対する切断機本体の移動を規制することができるように構成されている。
【先行技術文献】
【特許文献】
【０００５】
【特許文献１】特開２０１０-３６２６９号公報
【発明の概要】
【発明が解決しようとする課題】
【０００６】
従来の携帯用切断機において、カム状の固定部材３の大きさとリンク５の厚さに加工精度等によるバラつきがあると、図１６に示すように、固定部材３のカムにより押し付けられる量が必ずしも一定にならず、切断機本体（ピン部４ａ）側にリンク５を押圧することができず切断機本体を固定することができない場合があった。また、カム状の固定部材３とリンク５の間に弾性部（弾性体）１３を設けた構造とした場合には、長期間使用している間に弾性部１３が変形し、切断機本体の固定力（ピン部４ａへの押圧力）が弱くなり、切断機本体とリンク５の固定が不安定になってしまう場合があった。
【０００７】
本発明の目的は、上記課題を解決するため、カム状の固定部材を有する切り込み深さ調整機構を備えた携帯用切断機において、固定部材等の部品の寸法バラつきによる固定力を調整可能とし、安定した切り込み深さの調整を行える携帯用切断機を提供することにある。
【課題を解決するための手段】
【０００８】
上記課題を解決するに本発明は、固定部材を案内部材に対し移動可能とし、固定部材の位置を任意に調整できる調整機構を設けることで達成することができる。
【０００９】
すなわち、本発明は モータにより駆動されて被加工材を切断する切断刃と、前記モータを収容するハウジングと、該ハウジングに固定され前記切断刃の外周の一部を覆うソーカバーと、を備えた本体と、該本体に接続されると共に、前記被加工材に当接し前記加工部材との当接面から前記切断刃を突出させる開口部が形成されたベースと、前記切断刃の前記当接面からの突出量を調整する突出量調整機構と、を備え、該突出量調整機構は、前記ベースまたは前記ハウジングのいずれか一方から延出されるリンク部と、前記ベースまたは前記ハウジングのいずれか他方に設けられ、前記リンク部と共に前記切断刃の前記当接面に対する移動を規制する固定部材と、を有する携帯用切断機において、前記固定部材が前記切断刃の移動を規制している状態で、前記リンク部に対する前記固定部材の位置を調整可能な調整部材を備えたことを特徴としている。
【００１０】
このような構成によれば、固定部材等の寸法誤差等があった場合であっても、固定部材の位置を調整することでリンク部と固定部材の固定力を調整することができ、安定した切り込み深さ調整を行うことができる。
【００１１】
また、前記調整部材は、前記固定部材を前記リンク部側に移動させることで前記リンク部と前記固定部材との固定力を調整することが好ましい。
【００１２】
このような構成によれば、固定部材の位置を調整することでリンク部と固定部材の固定力を簡単に調整することができ、安定した切り込み深さ調整を行うことができる。
【００１３】
また、前記リンク部に形成され延出方向に沿って延びる長穴と、該長穴内に位置し前記本体に設けられたピン部と、を備え、前記調整部材により前記固定部材を前記ピン部側に移動させることで前記による前記リンク部の側に移動させることで該ピン部と前記固定部材による挟持力を調整することが好ましい。
【００１４】
このような構成によれば、調整部材によってピン部と固定部材間の固定力を調整することができ、確実に込み深さ調整を行うことができる。
【００１５】
また、前記突出量調整機構は、操作部と、該操作部と前記固定部材とを連結する案内部材を備え、前記操作部の操作に連動して前固定部材が移動するように構成され、前記固定部材は、前記案内部材が挿入されると共に前記案内部材の外径より大きい内径を有する穴部が形成され、前記固定部材は、前記調整部材によって前記穴部の範囲内で移動可能であることが好ましい。
【００１６】
このような構成によれば、穴部の範囲内で固定部材を移動できるため、リンク部と固定部材の固定力を調整することができる。
【００１７】
また、前記案内部材は前記穴部内に配置され案内部材側平面部を備える軸部を有し、前記穴部は前記平面部と係合する固定部材側平面部を有し、各平面部の平面に沿った寸法は、前記案内部材側平面部より前記固定部材側平面部の方が大きく形成されると共に、前記平面と直交する方向の寸法は略等しく形成されていることが好ましい。
【００１８】
このような構成によれば、平面に沿って固定部材を移動することができると共に操作部に連動して固定部材を回動することができる。従って、固定力を調整することができると共に切り込み深さを容易に設定することができる。
【００１９】
また、前記固定部材は、前記案内部材と連結された固定部と、該固定部から延び前記リンク部と当接可能な弾性部とを有することが好ましい。
【００２０】
このような構成によれば、固定部材を過大に移動した場合でも弾性部の弾性変形により、リンク部と固定部材の固定・固定解除を行うことができる。
【００２１】
また、前記調整部材は、ネジ部材から構成されると共に前記本体にネジ勘合していることが好ましい。
【００２２】
このような構成によれば、ネジを回すだけで固定力の調整を容易に行うことができる。
【００２３】
また、前記調整部材の一端は前記固定部材に当接し、他端は外部より操作可能に配置されていることが好ましい。また、前記調整部材の他端は、前記開口部の延長上に位置することが好ましい。
【００２４】
このような構成によれば、調整部材を外部から容易に操作することができる。また、ベースの開口部延長上に位置させれば、調整部材の調整用の穴等を設ける必要がない。
【００２５】
また、前記リンク部及び前記固定部材は前記切断刃の側面側に位置すると共に、前記調整部材は前記固定部材に対して前記リンク部と反対側に位置し、前記調整部材は、前記固定部材を前記切断刃の側面と平行に移動させることが好ましい。
【００２６】
このような構成によれば、切断刃のベースに対する平行度を維持したまま固定力を調整することができる。
【００２７】
更に、本発明によれば、モータにより駆動されて被加工材を切断する切断刃と、前記モータを保持するハウジングと、該ハウジングに接続され前記切断刃の外周の略半分を覆うソーカバーとを備えた本体と、該本体に接続され、前記被加工材に当接し前記被加工材と当接する面から前記切断刃を突出させる開口部が形成されたベースと、前記切断刃の前記開口部からの突出量を変更可能な突出量変更機構と、を備え、該突出量調整機構は、前記ベースまたは前記ハウジングのいずれか一方から延出されるリンク部と、前記切断刃の側面側位置に配置され前記ベースまたは前記ハウジングのいずれか他方に設けられ、前記切断刃の回転軸と直交する方向において一方向に移動して該リンク部に対して固定された固定状態と、他方向に移動して前記リンク部に対して移動可能な移動状態にする固定部材と、  該固定部材を前記ベースまたは前記ハウジングに移動可能に取り付け、且つ、前記固定部材の動作を案内する案内部材と、該案内部材または前記固定部材に設けられ前記固定部材の動作を操作する操作部と、を有する携帯用切断機において、前記案内部材を前記切断刃の回転軸と平行な軸部材とすると共に前記固定部材に前記案内部材が貫通する穴を設け、前記案内部材と前記固定部材の勘合部に前記案内部材の回動を前記固定部材に伝達するための面部を互いに備えると共に、前記固定部材が前記案内部材に対し移動可能に構成し、前記固定状態において、前記固定部材に対して前記リンク部の反対側の前記本体に配置され、前記案内部材に対して移動可能な前記固定部材の位置を調整する調整部材を設けたことを特徴としている。
【００２８】
このような構成によれば、固定部材等の寸法誤差当があった場合であっても、切断刃のベースに対する平行度を維持したままリンク部と固定部材の固定力を調整することができ、安定した切り込み深さ調整を行うことができる。
【００２９】
更に、本発明は、モータにより駆動されて被加工材を切断する切断刃と、前記モータを収容するハウジングと、該ハウジングに固定され前記切断刃の外周の一部を覆うソーカバーと、を備えた本体と、該本体に接続されると共に、前記被加工材に当接し前記加工部材との当接面から前記切断刃を突出させる開口部が形成されたベースと、前記切断刃の前記当接面からの突出量を調整する突出量変更機構と、を備え、該突出量調整機構は、前記ベースまたは前記ハウジングのいずれか一方から延出されるリンク部と、前記ベースまたは前記ハウジングのいずれか他方に設けられ、前記リンク部と共に前記切断刃の前記当接面に対する移動を規制する固定部材と、を有する携帯用切断機において、前記切断刃の前記当接面からの突出量調整は、前記切断刃の前記リンク部に対する移動を規制可能に前記固定部材を移動させる工程と、前記リンク部に対する前記固定部材の位置を調整し前記固定部材と前記リンク部が当接するまで前記固定部材を前記リンク部側に移動させる工程と、を備えたことを特徴としている。
【００３０】
このような構成によれば、固定部材等の寸法誤差等がない場合のリンク部と固定部材とが固定する状態に固定部材を操作した後に、リンク部に対する固定部材の位置を調整するため、固定状態におけるリンク部と固定部材の固定力を調整することができるため、確実な切り込み深さ設定ができる。
【発明の効果】
【００３１】
本発明によれば、調整部材により固定部材と本体（リンク部）の距離を調整することができるため、固定部材やリンク部等に寸法誤差があってもリンク部と本体の固定力を変えることができるので、一定の固定力に調整することができる。
【００３２】
また、調整部材をネジ部材とすることで、長期間の使用による各部材の変形や磨耗により本体とリンク部の固定力が弱くなったとき、固定力の調整を容易に行うことができる。
【図面の簡単な説明】
【００３３】
【図１】本発明の実施の形態にかかる携帯用切断機の平面図。
【図２】本発明の実施の形態にかかる携帯用切断機の側面図。
【図３】本発明の実施の形態にかかる携帯用切断機の背面図。
【図４】本発明の実施の形態にかかる携帯用切断機の一部破断側面図。
【図５】本発明の実施の形態にかかる携帯用切断機のリンクを固定した状態を示す図４の要部拡大図。
【図６】図５のＡ-Ａ断面図。
【図７】本発明の実施の形態にかかる固定部材の一実施形態を示す斜視図。
【図８】本発明の実施の形態にかかる案内部材の一実施形態を示す斜視図。
【図９】本発明の実施の形態にかかる携帯用切断機のリンクを移動した状態を示す図４の要部拡大図。
【図１０】本発明の実施の形態にかかる携帯用切断機のリンクを固定状態にできない場合を示す図４の要部拡大図。
【図１１】図１０の状態から調整部材により固定部材を移動動作させた図。
【図１２】本発明の実施の形態にかかる携帯用切断機の底面図。
【図１３】図１２の要部拡大図。
【図１４】従来技術の携帯用切断機の一部破断側面図。
【図１５】従来技術の携帯用切断機のリンクを固定した状態を示す図１２の要部拡大図。
【図１６】従来技術の携帯用切断機のリンクが固定した状態にできない場合を示す図１２の要部拡大図。
【発明を実施するための形態】
【００３４】
本発明の実施の形態となる携帯用切断機について、図１乃至図１３を用いて以下説明する。
【００３５】
携帯用切断機（以下、切断機と称す）例えば丸鋸は、図１に示すように、図示しないモータを内蔵するハウジング１と、ハウジング１に固定されモータの回転を切断刃１５に伝達するギヤ等を内蔵するギヤケース１ａと、作業者が把持するハンドル１ｂと、ハウジング１（ギヤケース）に固定され切断刃１５の一部を覆うソーカバー１６と、を備える切断機本体４と、接続部１８及び後述する切り込み深さ調整機構（突出量調整機構）によって切断機本体４に接続され、被加工材上を摺動し切断刃１５が突出する開口部１７ａが形成されたベース１７から主に構成される。切り込み深さ調整機構は、ベース１７に回動可能に支持されベース１７の底面（被加工材との当接面）と反対方向に延出されたリンク５と、本体４に固定されリンク５の長穴５ａ内に位置するピン部４ａと、ベース１７（リンク５）に対する本体４の移動を固定及び解除する操作部８を備える。リンク５は切断刃５の側面側であってハウジング１とソーカバー１６の間に設けられている。切り込み深さ調整機構の詳細は後述する。なお、リンク５が本体４側、ピン部４ａがベース１７側に設けられてもよく、切り込み深さを調整可能であれば本体４、ベース１７のどちらに設けられていてもよい。
【００３６】
更に、切断機は、図２及び図３に示すように、ソーカバー１６により覆われないベース１７より下方に位置する切断刃１５の部分を覆う保護カバー１９と、ベース１７底面に対する切断刃１５の傾斜角度を調整するための傾斜調整機構２０と、を備えている。
【００３７】
切断機により被加工材を切断する場合、トリガスイッチ１ｃを操作することでモータが回転し、モータの回転がギヤを介して切断刃１５に伝達され回転する。被加工材上にベース１７を置き、作業者がハンドル１ｂを把持して本体４を図２の矢印Ａ方向に摺動させると、保護カバー１９は被加工材に当接して押されることで切断刃軸１５ａを支点として反時計回りに回動し切断刃１５を露出させる。これにより、切断刃１５により被加工材を切断することができる。
【００３８】
また、ベース１７の底面に対する切断刃１５の角度を変更する場合すなわち傾斜切断を行う場合には、傾斜調整機構２０のノブを緩め、図３の左右方向に回転軸を中心に所望の角度に本体１４を傾斜させてノブを締め付けることで行うことができる。
【００３９】
更に、切断刃１５のベース１７底面（被加工材と当接する面）からの突出量すなわち切り込み深さを調整する場合には、操作部８により固定部材３を回動させ、本体４とベース１７（リンク５）との固定を解除し、接続部１８を支点として本体４をリンク５（長穴５ａ）に沿って移動させ、所望の切り込み深さになったところで操作部８により固定部材３を回動させて、リンク５と固定部材３が協同して本体４とベース１７とが固定、すなわち切断刃１５のベース１７に対する移動が規制されることで、切り込み深さ（ベース１７底面からの切断刃１７の突出量）を設定すればよい。
【００４０】
ここで、本発明となる切断機は、リンク５等を含む切り込み深さ調整機構の構成部品の加工精度等による寸法のバラつき、あるいは、長期使用による構成部品の磨耗等によって、切断機本体４とベース１７（リンク５）の固定が不安定になることを防止し、寸法バラつきや磨耗が生じた場合であっても安定して切り込み深さを調整することができるように構成されている。以下、本発明となる切断機の切り込み深さ調整機構について図４乃至図１１を用いて詳細に説明する。
【００４１】
切断機の切り込み深さ調整機構は、図４乃至図６に示すように、ベース１７に回動可能に支持されたリンク５の長穴５ａには本体４に固定されたピン部４ａが挿入されており、ベース１７に対して本体４を移動させるとピン部４ａは長穴５ａ内を移動可能になっている。リンク５は本体４の移動に連動して回動軸５ｂを支点に図４の左右方向に回動可能にベース１７に取り付けられている。リンク５は、その一部がピン部４ａと固定部材３（弾性部１３）に挟持されて配置されており、リンク５と固定部材３が本体４から離れないようにプレート６がボルト２１によって本体４に固定され、プレート６により移動が規制されている。固定部材３に対してリンク５の反対側の本体４には調整部材となるネジ２が配置される。なお、調整部材２、固定部材３、案内部材７及び操作部８は本体４に設けられている。
【００４２】
図７、図８に示すように、カム形状の固定部材３（固定部）には案内部材７が貫通する穴（長穴）９が設けられ、穴９はカム形状の全長方向（図７中の上下方向）に平行な一対の平面１０を有している。案内部材７は本体４との係止用の鍔１４と、固定部材３とプレート６及び操作部８の各穴に挿入される軸部１１を有し、さらに軸部１１には固定部材３の穴９の平面１０に係合する一対の平面１１ａが設けられている。軸部１１の鍔１４と反対側の端部にはネジ７ａが切ってあり、ナット２２と螺合することで本体４に固定部材３、プレート６及び操作部８を固定している。なお、穴９は、平面１０方向に長い長穴であると共に、穴寸法は軸部１１の径方向（平面１１ａ方向）の長さより長く形成されており、軸部１１対する穴９の相対位置が変更可能になっている。すなわち、穴９の平面１０に沿った内径寸法は軸部１１の平面１１ａに沿った径方向外形寸法より大きく形成されている（平面１１ａより平面１０の方が長い）と共に、穴９及び軸部１１の平面１０及び１１ａと直交する径寸法は略等しい大きさに形成されている。このような平面同士が勘合する構成によって、固定部材３は図５の左右方向には移動可能であると共に上下方向には移動不可能に構成されている。なお各平面は勘合部として機能する。
【００４３】
案内部材７及び固定部材３は本体４に取り付けられる。図６に示すように、案内部材７の軸部１１は切断刃軸１５ａと平行且つ本体４、固定部材３及びプレート６を貫通するよう配置され、その先端部側には案内部材７及び固定部材３を操作する操作部８が配置されている。軸部１１の先端部にはネジ７ａが切ってあり、ナット２２と螺合することで本体４に固定部材３、プレート６及び操作部８を固定している。プレート６は本体４のピン部４ａに当接した状態でボルト２１により本体４に固定されている。ピン部４ａの外周にはリンク５が配置されている。
【００４４】
リンク５の案内部材７側の一部には、固定部材３の弾性部１３が当接可能に設けられており、固定部材３の穴９の内径と案内部材７の軸部１１の外周との間には隙間１２が形成される。従って、図５に示すように、固定部材３の穴９は案内部材７の軸部１１を挿入しても、平面１０と平行方向に隙間１２ができる大きさになるように設けられており、固定部材３が案内部材７に対して、平面１０と平行方向に移動できる構造となっている。
【００４５】
更に、案内部材７に対してリンク５と反対側には、固定部材３と当接するよう調整部材２が本体４（ギヤケース１ａ）にネジ勘合している。
【００４６】
以上の構成を備えた切り込み深さ調整機構による切り込み深さ調整作業を図９乃至図１１を用いて説明する。
【００４７】
本体４をベース１７（リンク５）に固定した図５の状態から、操作部８を案内部材７の軸部１１を支点として時計回りに回動させて図９の状態にする。このとき、操作部８の操作に連動して案内部材７と固定部材３も回動し、リンク５に対する弾性部１３の付勢が解除されることで本体４とベース１７（リンク５）の固定が解除され、切り込み深さを調整可能な状態となる。なお、案内部材７の平面１１ａと固定部材３の平面１０が係合（勘合）しているため、操作部８の回動に連動して案内部材７も回動し、案内部材７の回動力が固定部材３に伝達されるため固定部材３も回動することができる。
【００４８】
切り込み深さを所望の位置に調整した後、操作部８を反時計回りに回動させてベース１７（リンク５）に対する本体４の移動を規制することになるが、上記したように、カム状の固定部材３の大きさとリンク５の厚さに加工精度等によるバラつきがあった場合には、図１０に示すように、弾性部１３がリンク５に当接、押圧することができなくなり、弾性部１３とリンク５の間に隙間が生じ、本体４を所望の切り込み深さ位置に固定できなくなってしまう。あるいは、長期間使用している間に弾性部１３が変形し、弾性部１３による本体４の固定力（ピン部４ａへの押圧力）が弱くなった場合にも同様に、本体４とリンク５の固定が不安定になってしまう。
【００４９】
そこで、本発明では、リンク５に対する固定部材３の位置を調整できるように、調整部材２が設けられている。調整部材２はネジ部材であり本体４にネジ勘合されており（図６）、一端が固定部材３に当接され、他端が外部から操作可能なように、すなわち、ベース１７の開口部１７ａの上方に位置するように配置されている。調整部材２は、例えばマイナスドライバーや六角レンチを開口部１７ａから挿入してその他端に係合させて回転させることで調整部材２が進退する。調整部材２の進退により、リンク５と固定部材３との締結力（固定力）が調整可能となるとなるため、部材のバラつき等による切り込み深さ調整が不安定になることを防止することができる。
【００５０】
固定部材３の位置調整は以下の手順で行う。操作部８を操作し、固定部材３のカム部（弾性部１３）によってリンク５を本体４（ピン部４ａ）側に押し付ける位置に固定部材３を回動させた図１０に示す状態とする。固定部材３と調整部材２の一端は当接しているため、図１２及び図１３に示すように、ベース１７の開口部１７ａから調整部材２の他端側にマイナスドライバーや六角レンチを差し込み、調整部材２を回転させることで固定部材３は図１１に示す矢印Ｂ方向に移動する。このとき、案内部材７の軸部１１外周と固定部材３の穴９内周との間には隙間１２があるため固定部材３は、穴９の平面１０と案内部材７の平面１１ａにより案内されて矢印Ｂ方向に移動する。弾性部１３がリンク５に当接し、ピン部４と弾性部１３とによってリンク５が挟まれ、弾性部１３による付勢力が、本体４とベース１７（リンク５）とを確実に安定して固定できる力になるまで調整部材２を回転させる。従って、本発明によれば、調整部材２の位置を動かすことで固定部材３の位置を調整することができるため、固定部材３（弾性部１３）による本体４とリンク５の固定力を任意に調整することができ、安定した固定力を得ることができる。なお、調整部材２の回転は、図１３に示すように、切断刃１５が通るべース開口部１７ａから操作することができるため、調整部材２の調整用の穴を設ける必要がない。また、調整部材２の他端側は、ベース開口部１７ａ方向に向くように本体４に取り付けられている、ベース開口部１７ａから簡単に調整部材２を操作（回転）することができる。なお、リンク５はリンク保持部材５ｂにより回動可能にベース１７に固定されている。また、リンク５は切断刃１５の側面に配置されると共に固定部材３は切断刃１５の側面と平行な方向、すなわち切断方向（図２の矢印Ａと平行）にリンク５を締め付けるため、切り込み深さ調整後のベース１７に対する切断刃１５の平行度がズレることなく、高精度な切断作業を行うことができる。更に、調整部材２も切断刃１５の側面と平行な方向に固定部材３を調整するため、固定部材３の位置調整後でもベース１７に対する切断刃１５の平行度がズレることはない。
【００５１】
上記した実施の形態では、リンク５の長穴５ａにピン部４ａを挿入して、ピン部４ａと固定部材３（弾性部１３）によりリンク５の一部を挟むように構成したが、リンク５に長穴５ａを形成せず、リンク５に対して一方側に固定部材３、他方側にピン部４ａに相当する部材を設けてリンク５を挟むようにしても良い。更に、固定部材３の締め付け方向は、切断刃１５の側面と平行な方向としたが、当該側面と直交する方向（軸１５ａと平行な方向）であっても良い。また、調整部材２をベース開口部１７ａから操作可能に構成したが、ベース開口部１７ａ以外の場所から操作しても良い。例えば、調整部材調整用穴をベース１７に設けたり、固定部材３の側面側（図５の紙面手前側）に固定部材３と連結されたレバーを設けて、レバーで固定部材３をリンク５側に押すように構成しても良い。すなわち、リンク５と固定部材３の固定力が調整可能であればどのような構成であっても良い。
【符号の説明】
【００５２】
１はハウジング、２は調整部材、３は固定部材、３ａは穴、４は本体、４ａはピン部、５はリンク、５ａは長穴、５ｂは回動軸、６はプレート、７は案内部材、８は操作部、９は穴、１０は固定部材の平面、１１は軸部、１１ａは案内部材の平面、１２は隙間、１３は弾性部（弾性体）、１４は鍔、１５は切断刃、１６はソーカバー、１７はベース、１８は接続部、１９は保護カバー、２０は傾斜調整機構、２１はボルト、２２はナットである。
【図１】
0005741120.tif 000002
【図２】
0005741120.tif 000003
【図３】
0005741120.tif 000004
【図４】
0005741120.tif 000005
【図５】
0005741120.tif 000006
【図６】
0005741120.tif 000007
【図７】
0005741120.tif 000008
【図８】
0005741120.tif 000009
【図９】
0005741120.tif 000010
【図１０】
0005741120.tif 000011
【図１１】
0005741120.tif 000012
【図１２】
0005741120.tif 000013
【図１３】
0005741120.tif 000014
【図１４】
0005741120.tif 000015
【図１５】
0005741120.tif 000016
【図１６】
0005741120.tif 000017